(57)【要約】【課題】操作部の操作力を止水弁に伝えて開閉するレリースワイヤの施工性とメンテナンス性が向上する浴槽の排水栓装置を提供する。【解決手段】排水ナット１３の排水ナット本体部１４の底面に設ける排水口２１の開口部１９形状を、排水ナット１３のワイヤ接続部１５が設けられた方向に平行な平面視略矩形状の形状に形成する。【選択図】  図２
2004244839.tif 000002
【特許請求の範囲】
【請求項１】
浴槽底面の排水口に設けられる排水栓と、排水栓を開閉する弁部を備える止水弁と、操作部の操作力を止水弁に伝えて開閉するレリースワイヤと、排水栓を前記排水口に固定する排水ナットを備え、この排水ナットに前記排水栓と嵌合される筒状の排水ナット本体部と前記レリースワイヤが差し込まれるワイヤ接続部が設けられた排水栓装置であって、上記排水ナット本体部の底面に設けられた排水口の開口部の平面視形状が、前記ワイヤ接続部が設けられた方向に平行な略矩形状である浴槽の排水栓装置。
【請求項２】
平面視が略矩形状の開口部が、ワイヤ接続部と平行な方向は、筒状の排水ナット本体部の内周面まで開口してなる請求項１記載の浴槽の排水栓装置。
【請求項３】
ワイヤ接続部が、排水ナット本体部の下端から下方に突出して設けられている請求項１又は請求項２記載の浴槽の排水栓装置。
【発明の詳細な説明】
【０００１】
【発明の属する技術分野】
本発明は、浴槽底面の排水口に装着された排水栓をこれとは離れた位置に設けた操作部を操作することにより、排水栓の開閉を行う浴槽の排水栓装置に関する。
【０００２】
【従来の技術】
この種の排水栓として図３及び図４に示すように、排水栓２、止水弁３、弁支持部材９、レリースワイヤ６、排水ナット１３、操作部１０、その他の各部材より構成されており、排水栓２は内部に排水口を形成する上面及び底面が開放された筒状形状に形成され、その外周面にはオネジが設けられ、止水弁３は浴槽底面２２の排水口１を開閉する弁部４と、止水弁３をレリースワイヤ６に嵌合するために弁部４の中心より下方に向けて垂下されたレリースワイヤ６と固定する弁軸１８より形成されており、レリースワイヤ６は、可撓性を備えた中空のアウターチューブと、このアウターチューブの内面を軸方向に進退するインナーワイヤと、インナーワイヤの一端に備えられ、上記止水弁３の弁軸１８下方に配置されるロッド部７と、レリースワイヤ６内の操作部１０側に、インナーワイヤを操作部１０側に付勢する戻りスプリングを備える。
弁支持部材９は上記排水栓２の内部に固定され、レリースワイヤ６の進退を行うためにロット部７を固定している。
【０００３】
排水ナット１３は、上記排水栓２のオネジ部と螺合するメネジを備えた開口部と排水口１からの排水を下流側に排出するための排水口２１を備えた排出部とからなる排水ナット本体部１４と、上記排水口と排出部の間に接続されるレリースワイヤ６を通すためのワイヤ接続部１５からなり、図５に示すように排水口２１は、排水ナット本体部１４の底面中央部に設けた円形の開口部形状としている。
前記の操作部１０は、レリースワイヤ６に接続され、レリースワイヤ６のインナーワイヤの進退を行うことで、浴槽底面２２の排水口１を開閉させるものであって、また、インナーワイヤの進退を保持するための保持機構として、スラストロック機構を備える構成の排水栓が知られている（例えば、特許文献１参照）。
上記の排水栓には、その他の部材として、操作部１０と排水ナット１３を接続するチューブ１６を備え、また、排水栓２と排水口１及び排水ナット１３と排水口１の間にはパッキンを備える。
【０００４】
上記のように構成した排水栓は、次のように浴槽に取付けられる。
先ず、排水栓２を、浴槽底面２２の排水口１を介して排水ナット１３の開口部と螺合させる。次にレリースワイヤ６の一方、ロッド部７を備えない側を操作部１０に接続し、ロッド７部側の端部を、ワイヤ接続部１５を介して排水ナット１３から排水栓２の排水口へと導入する。更にアウターチューブの端部を弁支持部材９の軸受け部の接続部８に接続した後、排水口１内に弁支持部材９を排水栓２に固定する。この状態より、軸受け部内に止水弁３の弁軸１８を収納させてロッド部７の先端が弁軸１８の下方に配置されるようにして、排水栓の取り付けが完了する。
【０００５】
上記の排水栓を使用する場合、先ず、操作部１０に操作力を加えて止水弁３が浴槽底面２２の排水口１を閉口した状態、即ちレリースワイヤ６のインナーワイヤが操作部１０側に後退して、ロッド部７が降下した状態とする。この状態より操作部１０に操作を加えて、インナーワイヤを弁支持部材９側に前進させると、ロッド部が上昇して弁部４の弁軸下端に当接しこれを押し上げるため、止水弁３全体が上昇して排水口１を開口すると共に、スラストロック機構によって開口状態が保持される。この状態より操作スイッチに操作を加えてスラストロック機構の保持状態を解除すると、インナーワイヤが操作部１０側に後退し、ロッド部が下降するため、ロッド部に押し上げられていた止水弁３も降下して排水口１を閉口する。以後、この操作を繰り返すことで排水口１の開閉を自在に操作する構成となっている。
【０００６】
しかし、従来の技術で述べた排水栓は、図５に示したように排水ナット本体部１４の排水を下流側に排出するための排水口を備える排出部の開口部が、適正排水流量調整のためにメネジを備えた開口部内径よりも狭い円形の形状に形成されており、適正排水流量は得られるものの、浴槽への排水栓施工時やレリースワイヤ交換時に、レリースワイヤ６を排水栓２の内部に挿入する場合に上記のように排出部の円形開口部が狭いため、レリースワイヤが挿入しにくく、また、レリースワイヤを無理に曲げないと挿入できないためにレリースワイヤ自体を傷付けてしまうという問題があった。
【０００７】
【特許文献１】
特開２００２−８８８５３号公報（第１−７頁、図１）
【０００８】
【発明が解決しようとする課題】
本発明は、レリースワイヤの施工性とメンテナンス性が向上する浴槽の排水栓装置を提供しようとするものである。
【０００９】
【課題を解決するための手段】
本発明は、次のものに関する。
（１）浴槽底面の排水口に設けられる排水栓と、排水栓を開閉する弁部を備える止水弁と、操作部の操作力を止水弁に伝えて開閉するレリースワイヤと、排水栓を前記排水口に固定する排水ナットを備え、この排水ナットに前記排水栓と嵌合される筒状の排水ナット本体部と前記レリースワイヤが差し込まれるワイヤ接続部が設けられた排水栓装置であって、上記排水ナット本体部の底面に設けられた排水口の開口部の平面視形状が、前記ワイヤ接続部が設けられた方向に平行な略矩形状である浴槽の排水栓装置。
（２）平面視が略矩形状の開口部が、ワイヤ接続部と平行な方向は、筒状の排水ナット本体部の内周面まで開口してなる上記（１）記載の浴槽の排水栓装置。
（３）ワイヤ接続部が、排水ナット本体部の下端から下方に突出して設けられている上記（１）又は（２）記載の浴槽の排水栓装置。
【００１０】
【発明の実施の形態】
本発明の排水栓装置における排水ナットには、排水栓のオネジ部と螺合するメネジを備えた開口部と、浴槽底面の排水口からの排水を下流側に排出するための排水口を備えた排出部とからなる排水ナット本体部を備えるとともに、レリースワイヤが差し込まれるワイヤ接続部を具備する。このような構造にすることにより排水ナットでレリースワイヤを保持する。
上記の排水ナット本体部の底面に設ける排水口の開口部は、その平面視形状が、ワイヤ接続部が設けられた方向に平行方向の略矩形状に形成される。この形状の開口部によって、ワイヤ接続部から出されたレリースワイヤを排水栓の内部に挿入する場合に前記排出部の開口を広くとることが可能となりレリースワイヤが挿入しやすくなる。
【００１１】
上記平面視略矩形状の開口部のワイヤ接続部と平行な方向は、筒状の排水ナット本体部の内周面まで開口した形状として、浴槽への排水栓施工時やレリースワイヤ交換時にレリースワイヤを排水栓の内部に挿入する場合に排出部の開口を広くとることができるようにしてよりレリースワイヤが挿入しやすくするのが好ましい。
なお、略矩形状の開口部におけるワイヤ接続部と直交する方向の開口幅については、浴槽の排水速度に応じた開口寸法として適切な排水時間を確保できるようにする。例えば、内槽高さ５００ｍｍ、容積２００Ｌの浴槽の場合で、ワイヤ接続部方向は４５ｍｍ径、ワイヤ接続部と直交する方向の幅を１５ｍｍの開口部とした場合、排水時間は約４分３０秒である。
【００１２】
さらに、排水ナット本体部の高さを低くすることができ、浴槽を設置する床面と排水栓の排水ナット底面の排水口との空間を保つことができ排水性が向上することで低床タイプの浴槽にも対応できるように、排水ナットのワイヤ接続部は、排水ナット本体部の下端から下方に突出して設けるようにするのが好ましい。
【００１３】
【実施例】
以下、本発明による浴槽の排水栓装置の実施例について図１及び図２を用いて説明する。
図１は本発明による排水栓装置の断面図、図２は図１に示した排水栓における排水ナットの底面図である。
図１において排水栓は、排水栓２、止水弁３、弁支持部材９、レリースワイヤ６、排水ナット１３、操作部１０（従来技術としての図３を参照）、チューブ１６等により構成される。
排水栓２は、内部に排水口を形成する上面及び底面が開放された筒状形状であり、その外周面にはオネジが設けられ、また、内周面に水平に沿って凸部を突設している。
止水弁３は、上記排水栓２の排水口を開閉する弁部４と、止水弁３をレリースワイヤ６に嵌合するために弁部４の中心より下方に向けて垂下されたレリースワイヤ６と固定する弁軸１８より形成される。
レリースワイヤ６は、可撓性を備えた中空のアウターチューブと、アウターチューブの内面を軸方向に進退するインナーワイヤと、インナーワイヤの一端に備えられ、上記止水弁３の弁軸１８下方に配置されるロッド部７と、レリースワイヤ６内の操作部１０側に、インナーワイヤを操作部１０側に付勢する戻りスプリングを備える。
弁支持部材９は、上記排水栓２の内面に設けた凸部と係合する係合爪１１を下部に設けた円筒状のリング部とリング部から元の中心に向かって延出されたアーム部１２と、アーム部１２の中心部にアーム部１２と一体的に設けたレリースワイヤ６の端部のロット部７を接続する接続部８を備える。
【００１４】
次に、排水ナット１３は、上記排水栓２のオネジ部と螺合するメネジを備えた開口部と浴槽底面２２の排水口１からの排水を下流側に排出するための排水口を備えた排出部とからなる排水ナット本体部１４と、上記排水口と排出部の間に接続されるレリースワイヤ６を通すためのワイヤ接続部１５とからなる。
図２に示すように、排水ナット１３における排水ナット本体部１４の底面の排水口２１は、ワイヤ接続部１５を設けた方向に平行な平面視が矩形状の形状の開口部１９とし、この開口部１９のワイヤ接続部１５と平行な方向（図２における左右方向）は、筒状の排水ナット本体部１４の内周面まで開口した形状とし、内周面までの幅方向寸法は径４５ｍｍとした。
また、排水ナット本体部１４の高さを低くするために、図１に示すようにワイヤ接続部１５は、排水ナット本体部１４の下端から下方に突出して設ける形状とした。
なお、図２において、平面視が矩形状の開口部１９のワイヤ接続部１５と直交する方向の幅は、浴槽の排水速度に応じた開口を有するように１５ｍｍとした。
上記の実施例では、内槽高さ５００ｍｍ、容積２００Ｌの浴槽を用いたので、上記寸法とした矩形状の開口部１９による排水時間は約４分３０秒となり、適切な排水量が得られ、さらに、レリースワイヤ６を無理なく取付けることが可能であった。
【００１５】
操作部１０（従来例による図３を参照）は、上記レリースワイヤ６に接続され、レリースワイヤ６のインナーワイヤの進退を行うことで、排水口を開閉させる構造とし、インナーワイヤの進退を保持するための保持機構としてスラストロック機構を備える。
チューブ１６は、塩ビ製のホースを用い、排水栓２と浴槽底面２２の排水口１及び排水ナット１３と排水口１の間にはパッキンを備える。
【００１６】
上記のように構成した排水栓は次のように浴槽に取付ける。先ず、排水栓２を、浴槽底面２２の排水口１を介して排水ナット１３の開口部と螺合させる。排水栓２と排水口１および、排水ナット１３と排水口１の間にはパッキンを備える。
次に操作部１０を浴槽上面に固定し、排水ナット１３のワイヤ接続部１５と操作部１０を塩ビ製のホースで接続する。次にレリースワイヤ６の一方、ロッド部７を備えない側を操作部１０に接続し、またロッド部側の端部を、ワイヤ接続部１５を介して排水ナット１３から排水栓２の排水口へと導入した。このとき、
今までように施工時にワイヤーを曲げたりすることなく、簡単に施工することができた。
更にアウターチューブの端部を弁支持部材９の軸受け部の接続部８に接続した後、排水口１内に弁支持部材９を、リング部の外周が排水栓２の内周面に当接するように挿入し、更に排水栓２の凸部に係合爪１１を係合させて排水栓２に弁支持部材９を固定する。この状態より、軸受け部内に止水弁３の弁軸を収納させてロッド部７の先端が弁軸の下方に配置されるようにして、排水栓の取り付けを完了した。
【００１７】
上記のように構成した排水栓を使用する場合、まず操作部１０に操作力を加えて止水弁３が排水口１を閉口した状態、即ちレリースワイヤ６のインナーワイヤが操作部１０側に後退して、ロッド部７が降下した状態とする。この状態より操作部１０に操作を加えて、インナーワイヤを弁支持部材９側に前進させると、ロッド部７が上昇して弁部４の弁軸１８下端に当接しこれを押し上げるため、止水弁３全体が上昇して排水口１を開口すると共に、スラストロック機構によって開口状態が保持される。この状態より操作スイッチに操作を加えてスラストロック機構の保持状態を解除すると、インナーワイヤが操作部１０側に後退し、ロッド部７が下降するため、ロッド部７に押し上げられていた止水弁３も降下して排水口１を閉口する。以後、この操作を繰り返すことで排水口１の開閉を自在に操作できる。
【００１８】
【発明の効果】
以上説明したように、本発明による浴槽の排水栓装置は、筒状の排水ナット本体部とレリースワイヤが差し込まれるワイヤ接続部が設けられ、排水栓を排水口に固定する排水ナットの排水ナット本体部の底面に設ける排水口の開口部の平面視形状を、ワイヤ接続部が設けられた方向に平行な略矩形状としており、ワイヤ接続部から出されたレリースワイヤを排水栓の内部に挿入する場合に排出部の開口を広くとることが可能となって、レリースワイヤが挿入しやすく施工性及びメンテナンス性が向上する、
【図面の簡単な説明】
【図１】本発明の実施例による排水栓装置の縦断面図である。
【図２】図１に示した排水栓装置における排水ナットの底面図である。
【図３】従来例による排水栓装置の浴槽への取付け状態を示す縦断面図である。
【図４】従来例による排水栓装置の縦断面図である。
【図５】従来例による排水栓装置における排水ナットの底面図である。
【符号の説明】
１  排水口                          ２  排水栓
３  止水弁                          ４  弁部
５  排水口凹部                      ６  レリースワイヤ
７  ロット部                        ８  接続部
９  弁支持部材                    １０  操作部
１１  係合爪                        １２  アーム部
１３  排水ナット                    １４  排水ナット本体部
１５  ワイヤ接続部                  １６  チューブ
１７  チューブ接続フランジ          １８  弁軸
１９  開口部                        ２０  床面
２１  排水ナットの排水口            ２２  浴槽底面
【図１】
2004244839.tif 000003
【図２】
2004244839.tif 000004
【図３】
2004244839.tif 000005
【図４】
2004244839.tif 000006
【図５】
2004244839.tif 000007